(57)【要約】【課題】衣服に対する操作性に優れており、かつハンガーに掛けられた衣服の盗難を確実に防止することができるハンガーを提供すること。【解決手段】ハンガー１は、衣服２００が掛けられるハンガー本体２と、ハンガー本体２に設けられ、ハンガー本体２との間でループ６を形成し得る、可撓性を有するワイヤ３ａおよび３ｂと、ループ６の状態を維持する施錠状態と、施錠状態が解除されてループ６の状態を解消し得る解錠状態とを取り得る施錠手段４とを有し、ハンガー本体２に衣服２００を掛けた状態で、ワイヤ３ａおよび３ｂをそれぞれ衣服２００に挿通してループ６を形成し、かつ施錠状態としたときには衣服２００をハンガー本体２から離脱することが禁止され、解錠状態としたときには衣服２００をハンガー本体２から離脱することが可能となるよう構成されている。【選択図】図１
2007308937.tif 000002
【特許請求の範囲】
【請求項１】
衣服が掛けられるハンガー本体と、
可撓性を有し、ループを形成し得る少なくとも１本の線状体と、
前記ループの状態を維持する施錠状態と、該施錠状態が解除されて前記ループの状態を解消し得る解錠状態とを取り得る施錠手段とを有し、
前記ハンガー本体に前記衣服を掛けた状態で、前記線状体を前記衣服に挿通して前記ループを形成し、かつ前記施錠状態としたときには前記衣服を前記ハンガー本体から離脱することが禁止され、前記解錠状態としたときには前記衣服を前記ハンガー本体から離脱することが可能となるよう構成されていることを特徴とするハンガー。
【請求項２】
前記線状体は、前記ハンガー本体に設けられ、該ハンガー本体の少なくとも一部を経由して、前記ループを形成し得るものである請求項１に記載のハンガー。
【請求項３】
前記ハンガーは、長尺な棒状体に装着されるものであり、
前記衣服は、身頃を有するものであり、
前記ハンガー本体は、前記身頃の肩部を掛け得るフレーム部と、該フレーム部に突出して設けられ、前記棒状体に係合するヘッド部とを有する請求項１または２に記載のハンガー。
【請求項４】
前記ヘッド部は、前記棒状体に一旦係合すると該棒状体からの離脱が解除できないような不可逆的係合構造をなす請求項３に記載のハンガー。
【請求項５】
前記ヘッド部は、前記棒状体が挿通可能な環状をなす環状部を有する請求項４に記載のハンガー。
【請求項６】
前記ヘッド部は、その一部または全体が前記フレーム部に着脱自在に装着されるよう構成されている請求項１ないし５のいずれかに記載のハンガー。
【請求項７】
前記ヘッド部が前記フレーム部に装着された状態を維持する維持手段が設けられている請求項６に記載のハンガー。
【請求項８】
前記施錠手段は、前記維持手段を兼ねている請求項７に記載のハンガー。
【請求項９】
前記維持手段は、ボルトを有し、該ボルトを介して前記ヘッド部を前記フレーム部に固定するよう構成されている請求項７に記載のハンガー。
【請求項１０】
前記線状体は、その一端部が前記ハンガー本体に配置され、他端部が前記ハンガー本体の前記一端部と異なる箇所または前記線状体に連結して前記ループを形成する請求項１ないし９のいずれかに記載のハンガー。
【請求項１１】
前記ハンガー本体には、前記線状体の他端部が連結される前記箇所が複数設けられており、前記線状体の他端部を前記複数の箇所のうちの１つに選択して連結するよう構成されている請求項１０に記載のハンガー。
【請求項１２】
前記施錠手段は、前記ハンガー本体に配置されている請求項１０または１１に記載のハンガー。
【請求項１３】
前記線状体の端部同士が連結される請求項１ないし１２のいずれかに記載のハンガー。
【請求項１４】
前記線状体は、２本設けられており、それらの一端部同士が前記ハンガー本体の互いに異なる箇所に配置され、他端部同士が連結して前記ループを形成する請求項１ないし９のいずれかに記載のハンガー。
【請求項１５】
前記施錠手段は、前記線状体の少なくとも一方の端部に配置されている請求項１３または１４に記載のハンガー。
【請求項１６】
前記線状体の長さを調整する調整手段をさらに有する請求項１ないし１５のいずれかに記載のハンガー。
【請求項１７】
前記調整手段は、前記線状体を巻き取り、または該巻き取った線状体を解放するよう構成されたものである請求項１６に記載のハンガー。
【請求項１８】
前記施錠手段は、鍵を用いて前記施錠状態と前記解錠状態とに変化するものである請求項１ないし１７のいずれかに記載のハンガー。
【請求項１９】
前記施錠手段は、複数の文字が付されたダイヤルを複数有し、これらのダイヤル同士の前記各文字の位置に応じて、前記施錠状態と前記解錠状態とに変化するものである請求項１ないし１７のいずれかに記載のハンガー。
【請求項２０】
前記衣服は、身頃を有するものであり、
前記ループは、前記身頃を挿通する請求項１ないし１９のいずれかに記載のハンガー。
【請求項２１】
前記衣服は、身頃と該身頃に設けられた２つの袖とを有するものであり、
前記ループは、前記２つの袖のうちの少なくとも一方の袖と前記身頃とを挿通する請求項１ないし１９のいずれかに記載のハンガー。
【発明の詳細な説明】
【技術分野】
【０００１】
本発明は、ハンガーに関する。
【背景技術】
【０００２】
例えばホテルや飲食店等では、そこを利用する（訪れた）利用者は、当該利用者の例えばコートや背広等の上着をハンガーに掛けることがある。この上着を掛けたハンガーは、当該ハンガーを掛けるためのハンガースタンドに掛けられる。従来のハンガースタンドには、ハンガーに掛けられた上着を、第三者によって盗難されるのを防止する機能を有するものがある（例えば、特許文献１、２参照）。
【０００３】
特許文献１および２に記載されたハンガースタンドは、それぞれ、複数のハンガーを掛け得る棒状のハンガースタンド本体と、一端部がハンガースタンド本体に支持され、他端部がハンガースタンドに係合可能な複数のワイヤと、ハンガースタンド本体に設置され、各ワイヤの他端部がハンガースタンド本体に係合したときの係合状態を維持する鍵部（鍵体）とを有している。このようなハンガースタンドは、例えば以下の手順により使用される。まず、ハンガーに上着を掛ける。次に、ハンガーに掛けられた上着の袖に、ワイヤの他端部を挿入して、当該ワイヤを袖に挿通させる。次に、この状態で、ハンガーをハンガースタンド本体に掛ける。次に、袖を通過したワイヤの他端部を、ハンガースタンド本体に、鍵部を介して固定（鍵止め）する。
【０００４】
このように、特許文献１および２のハンガースタンドは、それぞれ、当該ハンガースタンドを使用するとき、操作手順（使用手順）が多数の段階を経て、それが行われていた。このため、これらのハンガースタンドの操作が煩わしいという問題があった。
【０００５】
また、ハンガースタンド本体に設置された鍵部の設置数は、予め決まっている。このため、例えば、鍵部の設置数を越えて、上着が掛けられたハンガーをハンガースタンドに掛けたとしても、鍵止めをすることができないハンガーが存在するため、当該ハンガーに掛けられた上着を盗難から守ることができないという問題があった。
【０００６】
【特許文献１】特開２００２−２６６５４１号公報
【特許文献２】特開２００１−２９２８８５号公報
【発明の開示】
【発明が解決しようとする課題】
【０００７】
本発明の目的は、衣服に対する操作性に優れており、かつ、ハンガーに掛けられた衣服の盗難を確実に防止することができるハンガーを提供することにある。
【課題を解決するための手段】
【０００８】
このような目的は、下記（１）〜（２１）の本発明により達成される。
（１）  衣服が掛けられるハンガー本体と、
可撓性を有し、ループを形成し得る少なくとも１本の線状体と、
前記ループの状態を維持する施錠状態と、該施錠状態が解除されて前記ループの状態を解消し得る解錠状態とを取り得る施錠手段とを有し、
前記ハンガー本体に前記衣服を掛けた状態で、前記線状体を前記衣服に挿通して前記ループを形成し、かつ前記施錠状態としたときには前記衣服を前記ハンガー本体から離脱することが禁止され、前記解錠状態としたときには前記衣服を前記ハンガー本体から離脱することが可能となるよう構成されていることを特徴とするハンガー。
【０００９】
（２）  前記線状体は、前記ハンガー本体に設けられ、該ハンガー本体の少なくとも一部を経由して、前記ループを形成し得るものである上記（１）に記載のハンガー。
【００１０】
（３）  前記ハンガーは、長尺な棒状体に装着されるものであり、
前記衣服は、身頃を有するものであり、
前記ハンガー本体は、前記身頃の肩部を掛け得るフレーム部と、該フレーム部に突出して設けられ、前記棒状体に係合するヘッド部とを有する上記（１）または（２）に記載のハンガー。
【００１１】
（４）  前記ヘッド部は、前記棒状体に一旦係合すると該棒状体からの離脱が解除できないような不可逆的係合構造をなす上記（３）に記載のハンガー。
【００１２】
（５）  前記ヘッド部は、前記棒状体が挿通可能な環状をなす環状部を有する上記（４）に記載のハンガー。
【００１３】
（６）  前記ヘッド部は、その一部または全体が前記フレーム部に着脱自在に装着されるよう構成されている上記（１）ないし（５）のいずれかに記載のハンガー。
【００１４】
（７）  前記ヘッド部が前記フレーム部に装着された状態を維持する維持手段が設けられている上記（６）に記載のハンガー。
【００１５】
（８）  前記施錠手段は、前記維持手段を兼ねている上記（７）に記載のハンガー。
（９）  前記維持手段は、ボルトを有し、該ボルトを介して前記ヘッド部を前記フレーム部に固定するよう構成されている上記（７）に記載のハンガー。
【００１６】
（１０）  前記線状体は、その一端部が前記ハンガー本体に配置され、他端部が前記ハンガー本体の前記一端部と異なる箇所または前記線状体に連結して前記ループを形成する上記（１）ないし（９）のいずれかに記載のハンガー。
【００１７】
（１１）  前記ハンガー本体には、前記線状体の他端部が連結される前記箇所が複数設けられており、前記線状体の他端部を前記複数の箇所のうちの１つに選択して連結するよう構成されている上記（１０）に記載のハンガー。
【００１８】
（１２）  前記施錠手段は、前記ハンガー本体に配置されている上記（１０）または（１１）に記載のハンガー。
【００１９】
（１３）  前記線状体の端部同士が連結される上記（１）ないし（１２）のいずれかに記載のハンガー。
【００２０】
（１４）  前記線状体は、２本設けられており、それらの一端部同士が前記ハンガー本体の互いに異なる箇所に配置され、他端部同士が連結して前記ループを形成する上記（１）ないし（９）のいずれかに記載のハンガー。
【００２１】
（１５）  前記施錠手段は、前記線状体の少なくとも一方の端部に配置されている上記（１３）または（１４）に記載のハンガー。
【００２２】
（１６）  前記線状体の長さを調整する調整手段をさらに有する上記（１）ないし（１５）のいずれかに記載のハンガー。
【００２３】
（１７）  前記調整手段は、前記線状体を巻き取り、または該巻き取った線状体を解放するよう構成されたものである上記（１６）に記載のハンガー。
【００２４】
（１８）  前記施錠手段は、鍵を用いて前記施錠状態と前記解錠状態とに変化するものである上記（１）ないし（１７）のいずれかに記載のハンガー。
【００２５】
（１９）  前記施錠手段は、複数の文字が付されたダイヤルを複数有し、これらのダイヤル同士の前記各文字の位置に応じて、前記施錠状態と前記解錠状態とに変化するものである上記（１）ないし（１７）のいずれかに記載のハンガー。
【００２６】
（２０）  前記衣服は、身頃を有するものであり、
前記ループは、前記身頃を挿通する上記（１）ないし（１９）のいずれかに記載のハンガー。
【００２７】
（２１）  前記衣服は、身頃と該身頃に設けられた２つの袖とを有するものであり、
前記ループは、前記２つの袖のうちの少なくとも一方の袖と前記身頃とを挿通する上記（１）ないし（１９）のいずれかに記載のハンガー。
【発明の効果】
【００２８】
本発明によれば、ハンガー本体、線状体および施錠手段がそれぞれ分散配置されてハンガーが構成されているため、ハンガーに衣服を掛けるときの操作性に優れたものとなっている。
【００２９】
また、施錠状態では、ハンガーに掛けられた衣服をループが挿通した状態となっている。これにより、衣服がループ（ハンガー）から離脱する（抜け出る）のが禁止され、よって、第三者が衣服を盗難するのを確実に防止することができる。
【発明を実施するための最良の形態】
【００３０】
以下、本発明のハンガーを添付図面に示す好適な実施形態に基づいて詳細に説明する。
＜第１実施形態＞
図１は、本発明のハンガーの第１実施形態を示す概略斜視図（使用状態の一例を示す図）である。なお、以下では、説明の都合上、図１中（図２〜図５も同様）の上側を「上」、下側を「下」と言う。
【００３１】
図１に示すハンガー１は、衣服２００を掛けて用いられるものである。このハンガー１は、衣服２００を掛けた状態で、例えばハンガースタンド５００に掛けて、衣服２００を保管することができる。
【００３２】
ハンガー１について説明する前に、衣服２００およびハンガースタンド５００について説明する。
【００３３】
まず、衣服２００について説明する。
ハンガー１に掛けられる衣服２００としては、特に限定されないが、例えば、本実施形態では、背広やコート等の上着を一例に挙げる。この衣服２００は、当該衣服２００を身に付けた（着た）使用者の胴（身体）を覆い得る身頃２０１と、身頃２０１の上部の図１中左右に設けられ、前記使用者の両腕をそれぞれ覆い得る袖２０２および２０３とを有している。図１に示すように、衣服２００の全体形状が筒状をなしかつその横断面形状が閉じたリング状をなす部分、すなわち、本実施形態では袖２０２および２０３のそれぞれには、ハンガー１が有するワイヤ３ａおよび３ｂが挿通する。
【００３４】
ハンガースタンド５００は、ホテルのクロークや飲食店の客室に設置される場合のものを一例として挙げる。このハンガースタンド５００には、ホテルや飲食店を利用する利用者（利用客）の衣服２００をハンガー１に掛け、このハンガー１が設置される。ハンガースタンド５００は、それを設置した状態（使用状態）でほぼ水平な姿勢となる長尺なバー（棒状体）５０１と、バー５０１の下方に位置する基台５０２と、基台５０２とバー５０１とを連結し、バー５０１の一端部５０３を支持する連結部５０４とを有している。また、バー５０１の他端部５０５には、ボルト（図示せず）により固定可能なキャップ５０６が装着される。このような構成のハンガースタンド５００のバー５０１に、ハンガー１を装着する（掛ける）ことができる（図１参照）。
【００３５】
次に、ハンガー１について説明する。
図１に示すハンガー１は、衣服２００が掛けられるハンガー本体２と、ハンガー本体２に設けられた２本のワイヤ（線状体）３ａおよび３ｂと、施錠手段４と、ワイヤ３ａおよび３ｂの長さをそれぞれ調整する調整手段５とを有している。このようなハンガー１では、当該ハンガー１に衣服２００を掛けた状態（以下、この状態を「衣服装着状態」という）で、その衣服２００がハンガー１から離脱することが禁止される施錠状態と、衣服２００をハンガー１から離脱することが可能となる解錠状態とを適宜選択することができる。以下、ハンガー１を構成する各部について説明する。
【００３６】
ハンガー本体２は、フレーム部２１と、フレーム部２１に設けられたヘッド部２２とで構成されている。
【００３７】
フレーム部２１は、例えば樹脂材料で構成され、図１の構成では形状が上方に向かって湾曲した弓なり状をなすものである。このフレーム部２１は、衣服２００（身頃２０１）の両肩部２０４および２０５をそれぞれ掛けることができる。また、フレーム部２１は、その内側に中空部２１１が形成されている。この中空部２１１には、調整手段５が収納されている。
【００３８】
なお、フレーム部２１の表面には、例えば粗面加工により加工された微小な凹凸が設けられていてもよい。これにより、衣服装着状態としたとき、当該衣服２００の肩部２０４および２０５がそれぞれフレーム部２１の表面に当接することとなり、よって、これらの間の摩擦力が増大または発生する。このため、ハンガー本体２（フレーム部２１）から衣服２００が滑る（ズレる）のを防止することができる。
【００３９】
フレーム部２１の中央部（頂部）２１２には、ヘッド部２２が上方に向かって突出して設けられている。このヘッド部２２は、円環状をなす環状部２２１と、環状部２２１に突出形成された連結部２２２と有している。
【００４０】
環状部２２１は、その内径がバー５０１が挿通可能な程度の大きさに設定されている。この環状部２２１にバー５０１を挿通することにより、ハンガー１（ヘッド部２２）をバー５０１に係合する（掛ける）ことができる。また、ハンガー１をバー５０１に掛けた状態で、環状部２２１の内径より最大外形が大きいキャップ５０６を、バー５０１の他端部５０５に固定すると、ハンガー１は、バー５０１から離脱するのが不可能となる。このように、ハンガー本体２のヘッド部２２は、バー５０１に一旦係合すると当該バー５０１からの離脱が解除できないような不可逆的係合構造をなしている。これにより、施錠状態で、ハンガー１とともに、すなわち、ハンガー１ごと、衣服２００が第三者によって盗難される（持ち出される）のを確実に防止することができる。
【００４１】
連結部２２２は、環状部２２１の下部に当該環状部２２１と一体的に形成され、環状部２２１とフレーム部２１とを連結する部位である。
【００４２】
なお、ヘッド部２２の構成材料としては、特に限定されないが、例えば、各種金属材料や各種プラスチック等を単独または組み合わせて用いることができる。また、ヘッド部２２は、フレーム部２１と一体的に形成されたものであってもよいし、フレーム部２１と別体で構成され、それ（別体）をフレーム部２１に接合したものであってもよい。
【００４３】
このような構成のハンガー本体２により、衣服装着状態のハンガー１をハンガースタンド５００に確実に掛けることができる。
【００４４】
ハンガー本体２のフレーム部２１の図１中左端部（一端部）２１３側にはワイヤ３ａ（ワイヤ３ａの一端部３１）が配置され、右端部（他端部）２１４にはワイヤ３ｂ（ワイヤ３ａの一端部３１）が配置されていている。衣服装着状態で、ワイヤ３ａは、衣服２００の袖２０２を挿通することができ、ワイヤ３ｂは、袖２０３を挿通することができる（図１参照）。ワイヤ３ａおよび３ｂの構成は、ほぼ同一であるため、以下、ワイヤ３ａについて代表的に説明する。
【００４５】
ワイヤ３ａは、可撓性を有する長尺なものであり、ハンガー本体２の左端部２１３から延在している。このワイヤ３ａの構成材料としては、可撓性を有する例えば金属材料を用いることができる。ワイヤ３ａの構成材料に金属材料を用いた場合、施錠状態のとき、例えばナイフ等の鋭利な刃物で第三者によってワイヤ３ａが切断されるが確実に防止される。これにより、衣服装着状態で衣服２００の盗難を確実に防止することができる。
【００４６】
また、ワイヤ３ａとワイヤ３ｂとは、これらの他端部３２同士を施錠手段４を介して連結する（接続する）ことができる。これにより、ワイヤ３ａとワイヤ３ｂとは、これらの他端部３２同士を連結したとき、ハンガー本体２（フレーム部２１）を経由して（ハンガー本体２との間で）、ループ６が容易かつ確実に形成される（図１参照）。
【００４７】
なお、各ワイヤ３ａおよび３ｂの表面には、それぞれ、摩擦を低減する摩擦低減処理が施されていてもよい。これにより、各ワイヤ３ａおよび３ｂをそれぞれ衣服２００の各袖２０２および２０３に挿通するとき、その操作を容易に行うことができる。また、衣服装着状態で、ワイヤ３ａと袖２０２との摩擦により袖２０２が損傷を受けるのを防止することができる。また、ワイヤ３ｂと袖２０３とについてもこれと同様である。摩擦低減処理としては、特に限定されないが、例えば、各ワイヤ３ａおよび３ｂの表面にフッ素系樹脂をそれぞれ塗布することが挙げられる。
【００４８】
施錠手段４は、突出した鍵（図示せず）が形成されたオス側鍵部４１と、前記鍵が挿入可能なメス側鍵部４２とを有するものである。オス側鍵部４１は、ワイヤ３ｂの他端部３２に設置され、メス側鍵部４２は、ワイヤ３ａの他端部３２に設置されている。
【００４９】
また、メス側鍵部４２には、複数の文字（図示せず）が付されたダイヤル４６が複数配列されて（配置されて）いる。また、これらのダイヤル４６は、それぞれ、独立して回動可能にメス側鍵部４２に設置されている。施錠手段４では、オス側鍵部４１とメス側鍵部４２とを接続した状態（図１に示す状態）で、各ダイヤル４６を回転させることにより、ダイヤル４６同士の各文字の位置関係に応じて、オス側鍵部４１とメス側鍵部４２との接続が維持されてこれら鍵部同士の離間が不可能となる状態（施錠状態）と、その状態が解除されて鍵部同士の離間が可能となる状態（解錠状態）とに適宜選択することができる。
【００５０】
このような構成の施錠手段４により、施錠状態ではループ６の状態が確実に維持され、
解錠状態ではループ６の状態を確実に解消することができる。また、オス側鍵部４１とメス側鍵部４２とを接続して各ダイヤル４６を回転させるという簡単な操作で、施錠手段４を施錠状態と解錠状態とに容易かつ確実に変化させることができる。
【００５１】
前述したようにハンガー本体２のフレーム部２１の中空部２１１には、調整手段５が収納されている。調整手段５は、２つ設けられており、それぞれ、フレーム部２１の左端部２１３および右端部２１４に配置されている。各調整手段５の構成は、それぞれ、ほぼ同一であるため、以下、左端部２１３側の調整手段５について代表的に説明する。
【００５２】
調整手段５は、例えば、長尺な金属板を巻回して形成された渦巻きバネを有するものである。この調整手段５は、渦巻きバネの作用によりワイヤ３ａの一端部３１側を巻き取ったり、渦巻きバネの作用を解除して前記巻き取ったワイヤ３ａを解放したりすることができるよう構成されている。これにより、ワイヤ３ａの長さを確実に調整することができる、すなわち、ワイヤ３ａを、当該ワイヤ３ａが調整手段５の作用により巻回されている巻回状態と、巻回状態より長さが長い状態（伸長状態）とに確実に変形させることができる。
【００５３】
このような構成の調整手段５により、例えばワイヤ３ａをその他端部３２側から袖２０２に挿通させるとき、ワイヤ３ａを巻回状態から一旦伸長状態とすることができる。これにより、ワイヤ３ａが延長され、当該ワイヤ３ａを袖２０２に挿通する操作を容易に行うことができる。また、ワイヤ３ａを袖２０２に挿通させて（ワイヤ３ｂも同様）、ワイヤ３ａおよび３ｂ同士を連結させた後、再度ワイヤ３ａ（ワイヤ３ｂも同様）を巻回状態に戻してもよい。これにより、ワイヤ３ａが袖２０２の口部（袖口）から過剰に突出するのが防止される。
【００５４】
このように、ハンガー１は、それを使用するとき、すなわち、ハンガー１に衣服２００を装着するときおよび衣服２００を装着した後の操作性に優れたものとなっている。
【００５５】
また、調整手段５には、ワイヤ３ａを任意の長さとしたときの伸長状態を維持する手段としてのストッパが設けられていてもよい。これにより、例えば、衣服２００のワイヤ３ａが挿通する部位、すなわち、本実施形態では袖２０２の長さに応じて、ワイヤ３ａを最適な長さに調整することができる。
【００５６】
また、調整手段５は、ハンガー本体２のフレーム部２１内に収納されている。このため、ハンガー１を操作する（使用する）とき、調整手段５がその操作の邪魔になるのを防止することができ、よって、ハンガー１の操作性が向上する。
【００５７】
さて、以上のような構成のハンガー１では、衣服装着状態で、ワイヤ３ａを衣服２００の袖２０２に挿通し、ワイヤ３ｂを袖２０３に挿通して、これらワイヤ３ａおよび３ｂとハンガー本体２のフレーム部２１とによりループ６が形成される（図１参照）。さらに、ループ６の状態を維持するために施錠する（施錠手段４を作動させる）。これにより、ハンガー１（施錠手段４）が施錠状態となる。この施錠状態では、ハンガー１に掛けられた衣服２００、特に各袖２０２および２０３を、ループ６が挿通した状態となっている。これにより、衣服２００がループ６（ハンガー１）から離脱する（抜け出る）のが禁止される。これにより、第三者が衣服２００を盗難するのを確実に防止することができる。
【００５８】
また、このような施錠状態から解錠状態とした場合には、施錠手段４のオス側鍵部４１とメス側鍵部４２とを互いに離間させることができる。これにより、ループ６の状態が解消され、よって、ワイヤ３ａを袖２０２から抜去することができ、ワイヤ３ｂを袖２０３から抜去することができる。すなわち、ハンガー１から衣服２００を離脱することができる。
【００５９】
また、ハンガースタンド５００のキャップ５０６をバー５０１から取り外しさえすれば、当該バー５０１に対するハンガー１の設置数を容易に適宜変更することができる。すなわち、キャップ５０６がバー５０１に装着されていない状態で、当該バー５０１にハンガー１を設置して（増設して）その設置数を増やしたり、バー５０１に設置されたハンガー１を取り外してその設置数を減らしたりすることができる。このように、ハンガー１は、一般に用いられているハンガースタンド５００に掛けられ、その設置数を必要（例えばハンガー１の利用者数）に応じて変更することができる。
【００６０】
また、このように、ハンガー１は、従来から存在する、すなわち、バー５０１を有するハンガースタンド５００に簡単に設置することができる。
【００６１】
また、ハンガー１は、ワイヤ３ｂを省略して、ワイヤ３ａのみを設置したものであってもよい。この場合、ワイヤ３ａは、その端部同士が施錠手段４を介して連結されるよう構成されている。このようなハンガー１は、当該ハンガー１を構成する部品点数が削減されたものとなり、よって、簡単な構成のものとなる。
【００６２】
次に、ハンガー１の使用方法の一例について詳細に説明する。
［１］  まず、ハンガー１の施錠手段４を予め解錠状態とする。
【００６３】
［２］  次に、ハンガー本体２のフレーム部２１に、衣服２００の身頃２０１の肩部２０４および２０５をそれぞれ載置する（掛ける）。これにより、ハンガー１は、衣服装着状態となる。
【００６４】
［３］  次に、ワイヤ３ａの他端部３２（メス側鍵部４２）を袖２０２の上部側から挿入して、袖２０２の下部（袖口）から突出させる。この操作を行うとき、前述したように調整手段５によりワイヤ３ａが伸長状態となるため、当該操作を容易に行うことができる。
［４］  次に、ワイヤ３ｂについても、ワイヤ３ａと同様に操作する。
【００６５】
［５］  次に、袖２０２の下部から突出しているメス側鍵部４２と袖２０３の下部から突出しているオス側鍵部４１とを接続して、施錠する。これにより、ハンガー１は施錠状態となり、当該ハンガー１に掛けられた衣服２００の盗難が防止される。
【００６６】
［６］  また、施錠状態のハンガー１から衣服２００を離脱する場合には、施錠手段４を解錠状態として、その操作を行うことができる。
【００６７】
このように、ハンガー１は、当該ハンガー１に衣服２００を装着するときの操作性に優れたものとなっている。また、衣服装着状態でハンガー１を施錠状態とした場合には、と該ハンガー１に掛けられた衣服２００の盗難を確実に防止することができる。
【００６８】
なお、前記［１］〜［５］の操作では、ループ６は、衣服２００の身頃２０１（両肩部２０４および２０５）と両袖２０２および２０３とを挿通したものとなっているが、これに限定されず、例えば前記［４］を省略して、ループ６が袖２０３を介さずに身頃２０１と袖２０２とを挿通したものであってもよい。
【００６９】
＜第２実施形態＞
図２は、本発明のハンガーの第２実施形態を示す概略斜視図（使用状態の一例を示す図）である。
【００７０】
以下、この図を参照して本発明のハンガーの第２実施形態について説明するが、前述した実施形態との相違点を中心に説明し、同様の事項はその説明を省略する。
本実施形態は、ワイヤの設置数が異なること以外は前記第１実施形態と同様である。
【００７１】
図２に示すハンガー１Ａのハンガー本体２Ａには、１本のワイヤ３ｃが設置されている。このワイヤ３ｃは、一端部３１がハンガー本体２の右端部２１４に配置され、一端部３１側が調整手段５により巻き取り可能となっている。また、ワイヤ３ｃの他端部３２は、施錠手段４Ａを介して、ハンガー本体２の中央部２１２に連結可能となっている。このようなワイヤ３ｃが設置されていることにより、ハンガー１Ａを構成する部品点数を、前記第１実施形態のハンガー１より抑制（削減）することができ、よって、ハンガー１Ａがより簡単な構成のものとなる。
【００７２】
ハンガー本体２Ａには、施錠手段４Ａが配置されている。この施錠手段４Ａは、ハンガー本体２の中央部２１２に設置された施錠機構部４４ａを有している。施錠機構部４４ａには、本実施形態ではリング状に形成された他端部３２が係合するフック４４１と、鍵が挿入される鍵穴４４２が設けられている。このような施錠手段４Ａ（施錠機構部４４ａ）は、フック４４１にワイヤ３ｃの他端部３２を係合した状態で、鍵穴４４２に鍵４３を挿入し、当該鍵４３を所定方向に回転させることにより、施錠状態となる。また、このとき、ハンガー本体２Ａのフレーム部２１の図２中右側の部位とワイヤ３ｃとでループ６Ａが形成される。また、鍵４３を前記とは反対方向に回転させることにより、施錠手段４Ａが施錠状態から解錠状態となる。このように、鍵４３の回転操作という簡単な操作で、施錠手段４Ａは、施錠状態と解錠状態とに容易に変化することができる。
【００７３】
前述したように、施錠機構部４４ａは、フレーム部２１の中央部２１２に設置されている。中央部２１２は、ハンガー本体２Ａに掛けられる衣服２００にもよるが、衣服装着状態で衣服２００に覆われることが少ない部位である。このため、衣服装着状態でも、施錠機構部４４ａに鍵４３を容易に挿入することができる、すなわち、施錠手段４の操作性に優れている。
【００７４】
また、図２に示すように、ハンガー本体２Ａの左端部２１３には、施錠機構部４４ａとほぼ同様の構成の施錠機構部４４ｂが設置されているのが好ましい。この施錠機構部４４ｂが設置されていることにより、例えば衣服装着状態で施錠機構部４４ａが覆われて、施錠機構部４４ｂが露出した場合、施錠機構部４４ｂにワイヤ３ｃの他端部３２を連結することができる。このように、ハンガー１では、それに掛けられる衣服２００に応じて、ワイヤ３ｃの他端部３２の連結箇所（施錠機構部４４ａまたは４４ｂ）を選択することができる。
【００７５】
以上のような構成のハンガー１Ａでは、衣服装着状態で、ループ６Ａが身頃２０１と袖２０３とを挿通し、施錠状態となっている。これにより、ハンガー１に掛けられた衣服２００の盗難を確実に防止することができる。また、ループ６Ａが両袖２０２および２０３をそれぞれ挿通するのが省略されるので、ハンガー１Ａの操作が簡単になる。
【００７６】
＜第３実施形態＞
図３は、本発明のハンガーの第３実施形態を示す概略斜視図である。
【００７７】
以下、この図を参照して本発明のハンガーの第３実施形態について説明するが、前述した実施形態との相違点を中心に説明し、同様の事項はその説明を省略する。
【００７８】
本実施形態は、ハンガー本体の構成が異なること以外は前記第２実施形態と同様である。
【００７９】
図３に示すハンガー１Ｂは、例えば天井７００や壁（本実施形態では天井７００）に両端部がそれぞれ支持された棒状のハンガー掛け６００に掛けられる。このハンガー１Ｂのハンガー本体２Ｂは、フレーム部２１ａと、フレーム部２１ａに着脱自在に装着されるヘッド部２２ａと、ヘッド部２２ａがフレーム部２１ａに装着された状態を維持する維持手段（状態維持手段）としてのボルト２３ａおよび２３ｂとを有している。
【００８０】
フレーム部２１ａは、前記第２実施形態のフレーム部２１とほぼ同様の構成であるが、中央部２１２の頂面２１５に、ヘッド部２２ａが挿入される（接続される）２つの開口部２１６ａおよび２１６ｂが形成されていることが前記フレーム部２１と異なる。また、開口部２１６ａおよび２１６ｂの各内周面にはそれぞれ、ボルト２３ａおよび２３ｂが螺合する雌ネジ（図示せず）が形成されている。
【００８１】
ヘッド部２２ａは、形状が「Ｕ」字状をなすＵ字状部２２３と、Ｕ字状部２２３の左端部（一端部）に設けられた連結部２２２ａと、右端部（他端部）に設けられた連結部２２２ｂとを有している。また、各連結部２２２ａおよび２２２ｂには、それぞれ、ボルト２３ａおよび２３ｂが挿通可能な孔２２４が形成されている。連結部２２２ａは、フレーム部２１ａの開口部２１６ａに挿入され、孔２２４を挿通したボルト２３ａを介して、フレーム部２１ａに連結される（固定される）。また、これと同様に、連結部２２２ｂは、フレーム部２１ａの開口部２１６ｂに挿入され、孔２２４を挿通したボルト２３ｂを介して、フレーム部２１ａに連結される。
【００８２】
このような構成のハンガー１Ｂは、ハンガー掛け６００のようなもの、すなわち、両端部が天井７００に支持されてこれらの両端部のいずれの側からもハンガー１Ｂを取付／取外しを行うのが困難なものに対しても、当該ハンガー１Ｂの取付／取外しを確実に行うことができる。ハンガー１Ｂをハンガー掛け６００に掛ける（取り付ける）には、予めボルト２３ａおよび２３ｂを外し、ヘッド部２２ａとフレーム部２１ａとを離間させる。次に、フレーム部２１ｂから離間したヘッド部２２ａ（Ｕ字状部２２３）にハンガー掛け６００を挿通させ、この状態（図３に示す状態）でヘッド部２２ａをフレーム部２１ａに連結して各ボルト２３ａおよび２３ｂで固定する。また、ハンガー１Ｂをハンガー掛け６００から取り外す場合には、前記とは逆の操作を行う。
【００８３】
＜第４実施形態＞
図４は、本発明のハンガーの第４実施形態を示す概略斜視図である。
【００８４】
以下、この図を参照して本発明のハンガーの第４実施形態について説明するが、前述した実施形態との相違点を中心に説明し、同様の事項はその説明を省略する。
【００８５】
本実施形態は、ハンガー本体の構成が異なること以外は前記第３実施形態と同様である。
【００８６】
図４に示すハンガー１Ｃのハンガー本体２Ｃでは、ヘッド部２２ａの左端部側の連結部２２２ａがフレーム部２１ａに着脱自在に装着され（連結され）、右端部側の連結部２２２ｂがフレーム部２１ａに支持されている。これにより、ヘッド部２２ａの連結部２２２ａがフレーム部２１ａから離間した場合には、連結部２２２ａとフレーム部２１ａとの間に形成された間隙を介して、ハンガー１Ｃをハンガー掛け６００に対して取り付けたり、取り外したりすることができる（図４参照）。また、ヘッド部２２ａにハンガー掛け６００を挿通した状態で、ヘッド部２２ａの連結部２２２ａをフレーム部２１ａに連結した場合には、ハンガー１Ｃをハンガー掛け６００から離脱不可能に設置することができる。
【００８７】
また、ハンガー１Ｃでは、施錠手段４Ａはフック４４１が省略されたものとなっており、ヘッド部２２ａが、ワイヤ３ｃの他端部３２が係合されるフック４４１と同様の機能を有している。すなわち、ハンガー１Ｃでは、施錠手段４Ａが、ヘッド部２２ａがフレーム部２１ａに装着された状態を維持する維持手段を兼ねている。
【００８８】
ハンガーは、一般的に、それをハンガー掛け６００に設置したままで衣服２００を掛けるよりも、ハンガー掛け６００から一旦取り外して衣服２００を掛けた方が、その操作（ハンガーを衣服装着状態とする操作）を容易に行うことができる。本発明のハンガー１Ｃでは、ハンガー掛け６００に設置されたハンガー１Ｃを解錠状態としたとき、当該ハンガー１Ｃをハンガー掛け６００から一旦（一時的に）取り外すことができる。これにより、ハンガー１Ｃに衣服２００を容易に掛けることができ、よって、ハンガー１Ｃを衣服装着状態とすることができる。さらに、この状態では、ワイヤ３ｃの他端部３２がヘッド部２２ａから離脱しているため、ワイヤ３ｃを衣服２００（袖２０３）を挿通させることができる。
【００８９】
また、ワイヤ３ｃが衣服２００を挿通した状態のハンガー１Ｃを再度ハンガー掛け６００に設置して、施錠状態とすれば、ループ６Ａが形成されかつその状態が維持される。また、このときほぼ同時に、ハンガー１Ｃがハンガー掛け６００から離脱不可能に設置される。
【００９０】
このように、ハンガー１Ｃは、衣服２００の着脱時の操作に優れたものとなっている。また、ハンガー１Ｃは、当該ハンガー１Ｃからの衣服２００の盗難を確実に防止することができる。
【００９１】
＜第５実施形態＞
図５は、本発明のハンガーの第５実施形態を示す概略斜視図（使用状態の一例を示す図）である。
【００９２】
以下、この図を参照して本発明のハンガーの第５実施形態について説明するが、前述した実施形態との相違点を中心に説明し、同様の事項はその説明を省略する。
【００９３】
本実施形態は、ワイヤの設置形態（設置状態）が異なること以外は前記第４実施形態と同様である。
【００９４】
図５に示すように、本実施形態では、ハンガー１Ｄに、例えばチョッキ等のような両袖２０２および２０３が省略された（身頃２０１のみで構成された）衣服２００が掛けられた場合を一例に挙げる。
【００９５】
ハンガー１Ｄでは、ワイヤ３ｄは、リング状をなす一端部３１がハンガー本体２Ｃのヘッド部２２ａに挿通されて連結され、リング状をなす他端部３２がヘッド部２２ａに着脱自在に連結される。ワイヤ３ｄの他端部３２をヘッド部２２ａに装着した場合、ループ６Ｂが形成される。
【００９６】
例えばブティック等のような衣服販売店でハンガー１Ｄを使用する場合、ハンガー１Ｄに掛けられる衣服２００としては、例えばＴシャツ、コートやワンピース等のように、丈（身頃２０１）の長さが比較的短いもの（Ｔシャツ）から比較的長いもの（コートやワンピース）まである。ハンガー１Ｄでは、ワイヤ３ｄはハンガー本体２Ｃに対して着脱自在であるので、このような場合、ワイヤ３ｄを、ハンガー１Ｄに掛けられる衣服２００の丈の長さに応じたもの（適したもの）に、容易に交換することができる。
【００９７】
また、ハンガー１Ｄでは、衣服装着状態で、ループ６Ｂは、衣服２００の襟口２０６と裾２０７との間を挿通する。これにより、施錠状態としたとき、ハンガー１Ｄから衣服２００が盗難されるのを確実に防止することができる。なお、ループ６Ｂは、衣服２００の襟口２０６と裾２０７との間を挿通するが、これに限定されず、例えば、両肩部２０４および２０５の肩口２０８間を挿通してもよい。
【００９８】
＜第６実施形態＞
図６は、本発明のハンガーの第６実施形態を示す概略分解斜視図である。
【００９９】
以下、この図を参照して本発明のハンガーの第６実施形態について説明するが、前述した実施形態との相違点を中心に説明し、同様の事項はその説明を省略する。
【０１００】
本実施形態は、ハンガー本体の形状が異なること以外は前記第３実施形態と同様である。
【０１０１】
図６に示すハンガー１Ｅのハンガー本体２Ｄは、フレーム部２１ｂと、フレーム部２１ｂに着脱自在に装着されるヘッド部２２ｂと、ヘッド部２２ｂがフレーム部２１ｂに装着された状態を維持する維持手段としてのナット２６ａおよび２３ｂとを有している。
【０１０２】
フレーム部２１ｂは、その横断面形状がほぼ「Ｕ」字状または「コ」字状をなす、内側に内部空間（中空部）２５が形成されたものである。
【０１０３】
ヘッド部２２ｂは、形状が「Ｕ」字状をなすＵ字状部２２３と、Ｕ字状部２２３の左端部（一端部）に設けられた連結部２２２ｃと、右端部（他端部）に設けられた連結部２２２ｄとを有している。また、各連結部２２２ｃおよび２２２ｄの外周面には、それぞれ、ナット２６ａおよび２３ｂが螺合する雄ネジが形成されている。連結部２２２ｃは、フレーム部２１ｂの開口部２１６ａに挿入され、後述する取付部材４５とともに、ナット２６ａで固定される。また、これと同様に、連結部２２２ｄは、フレーム部２１ｂの開口部２１６ｂに挿入され、取付部材４５とともに、ナット２６ｂで固定される。
【０１０４】
施錠手段４Ａの施錠機構部４４ａは、１つのユニットとして構成されており、ハンガー本体２Ｄの頂面２１５の内側（裏側）の内部空間２５に収納される。このハンガー本体２Ｄの施錠機構部４４ａが収納される（設置される）部分を施錠機構部設置部２５１ということができる。この施錠機構部４４ａは、ハンガー本体２Ｄの施錠機構部設置部２５１に設置されたとき、すなわち、ハンガー本体２Ｄに収納されたとき、当該ハンガー本体２Ｄの前面に開口する開口部２１７を介して、鍵穴４４２が露出する。
【０１０５】
また、施錠手段４Ａは、施錠機構部設置部２５１に設置された施錠機構部４４ａを、当該ハンガー本体２Ｄに取り付ける（固定する）取付部材４５を有している。取付部材４５は、例えば金属材料で構成された長尺状の板材を曲げ加工することにより形成されている。この取付部材４５は、その形状がほぼ「コ」字状をなすものであり、２つの端部４５１および４５２は、それぞれ反対方向に屈曲して突出している。
【０１０６】
また、取付部材４５の中央部には、施錠機構部設置部２５１に設置された施錠機構部４４ａを固定する状態、すなわち、ハンガー１Ｅの組立状態で、施錠機構部４４ａのフック４４１が突出する開口部４５３が形成されている。また、取付部材４５の各端部４５１および４５２には、それぞれ、ハンガー１Ｅの組立状態で、ヘッド部２２ｂの連結部２２２ｃおよび２２２ｄが挿通する孔４５４が形成されている。
【０１０７】
このような構成のハンガー１Ｅでは、当該ハンガー１Ｅを組み立ててハンガー掛け６００に掛ける（取り付ける）には、フレーム部２１ｂの開口部２１６ａにヘッド部２２ｂの連結部２２２ｃを挿通するとともに、開口部２１６ａに連結部２２２ｃを挿通する。この状態で、施錠機構部４４ａを、フレーム部２１の施錠機構部設置部２５１に設置し、かつ、フレーム部２１ｂの頂面２１５の裏側と取付部材４５とで挟持する。また、取付部材４５の各孔４５４には、それぞれ、ヘッド部２２ｂの連結部２２２ｃまたは２２２ｄが挿通して、各孔４５４から突出する。このような状態を維持しつつ、取付部材４５の各孔４５４から突出したヘッド部２２ｂの各連結部２２２ｃ、２２２ｄにそれぞれナット２６ａ、２６ｂを取り付ける。
【０１０８】
以上のような構成により、ハンガー１Ｅでは、当該ハンガー１Ｅを組み立てるとき、前述したような工程を経ることとなり、よって、その組立作業を容易に行なうことができる。
【０１０９】
また、ハンガー１Ｅの組立状態では、各ナット２６ａおよび２６ｂがそれぞれ、フレーム部２１ｂの頂面２１５の裏側に位置する、すなわち、フレーム部２１ｂの内部空間２５が開口する側から比較的遠位に位置する。これにより、各ナット２６ａおよび２６ｂを操作して取り外すことが困難となる。このため、衣服装着状態のハンガー１Ｅを例えばハンガー掛け６００に掛けた場合、各ナット２６ａおよび２６ｂを取り外して、ハンガー掛け６００からハンガー１Ｅを離脱する、すなわち、ハンガー１Ｅに掛けられた衣服２００が盗難されるのを確実に防止することができる。
【０１１０】
以上、本発明のハンガーを図示の実施形態について説明したが、本発明は、これに限定されるものではなく、ハンガーを構成する各部は、同様の機能を発揮し得る任意の構成のものと置換することができる。また、任意の構成物が付加されていてもよい。
【０１１１】
また、本発明のハンガーは、前記各実施形態のうちの、任意の２以上の構成（特徴）を組み合わせたものであってもよい。
【０１１２】
例えば、前記各実施形態のハンガーに掛けられる衣服としては、身頃に袖が設けられているものであってもよいし、身頃から袖が省略されたものであってもよい。
【０１１３】
また、前記第３実施形態および前記第４実施形態のハンガーに、それぞれ、調整手段が設けられていてもよい。
また、前記第３実施形態のハンガーに、複数の施錠機構部が設けられていてもよい。
【０１１４】
また、前記第３実施形態、前記第４実施形態および前記第５実施形態のハンガーは、それぞれ、ハンガー掛けに掛けられるのに限定されず、例えば、前記だ１実施形態のようなハンガースタンドに掛けられてもよい。
【０１１５】
また、前記第１実施形態のハンガーの施錠手段は、前記第２実施形態から前記第６実施形態のハンガーとほぼ同様構成の施錠手段に置換することができる。
【０１１６】
また、前記第２実施形態から前記第６実施形態のハンガーの施錠手段は、それぞれ、前記第１実施形態のハンガーとほぼ同様構成の施錠手段に置換することができる。
【０１１７】
また、ハンガースタンドには、本発明のハンガーと従来のハンガーとを設置することができる。ここで、「従来のハンガー」とは、例えば、バーに係合する、形状がＪ字状をなすフック部と、フック部の端部に設けられ、衣服の両肩部がそれぞれ掛けられるフレーム部とで構成されたものが挙げられる。ハンガースタンドに本発明のハンガーと従来のハンガーとを設置した場合、例えば、これらのハンガーを陳列用（例えば販売用や試着用）の衣服を掛けるのに用いることができる。例えば、毛皮のコート等の一般的に高価なものとされる（高級品とされる）衣服を本発明のハンガーに掛け、それより安価の衣服を従来のハンガーに掛けて使用することができる。
【０１１８】
また、本発明のハンガーは、ホテルのクロークや飲食店の客室等のような室内で用いられるのに限定されず、例えば屋外で用いてもよい。本発明のハンガーを屋外で用いた場合、例えば当該ハンガーを洗濯物を干すときに用いることができる。これにより、衣服としてパンツやブラジャー等のような下着を、本発明のハンガーに掛けて干した場合、これらの下着の盗難を確実に防止することができる。
【図面の簡単な説明】
【０１１９】
【図１】本発明のハンガーの第１実施形態を示す概略斜視図（使用状態の一例を示す図）である。
【図２】本発明のハンガーの第２実施形態を示す概略斜視図（使用状態の一例を示す図）である。
【図３】本発明のハンガーの第３実施形態を示す概略斜視図である。
【図４】本発明のハンガーの第４実施形態を示す概略斜視図である。
【図５】本発明のハンガーの第５実施形態を示す概略斜視図（使用状態の一例を示す図）である。
【図６】本発明のハンガーの第６実施形態を示す概略分解斜視図である。
【符号の説明】
【０１２０】
１、１Ａ、１Ｂ、１Ｃ、１Ｄ、１Ｅ  ハンガー
２、２Ａ、２Ｂ、２Ｃ、２Ｄ  ハンガー本体
２１、２１ａ、２１ｂ  フレーム部
２１１        中空部
２１２        中央部（頂部）
２１３        左端部（一端部）
２１４        右端部（他端部）
２１５        頂面
２１６ａ、２１６ｂ、２１７  開口部
２２、２２ａ、２２ｂ  ヘッド部
２２１        環状部
２２２、２２２ａ、２２２ｂ、２２２ｃ、２２２ｄ  連結部
２２３        Ｕ字状部
２２４        孔
２３ａ、２３ｂ  ボルト
２４          間隙
２５          内部空間（中空部）
２５１        施錠機構部設置部
２６ａ、２６ｂ  ナット
３ａ、３ｂ、３ｃ、３ｄ  ワイヤ（線状体）
３１          一端部
３２          他端部
４、４Ａ      施錠手段
４１          オス側鍵部
４２          メス側鍵部
４３          鍵
４４ａ、４４ｂ  施錠機構部
４４１        フック
４４２        鍵穴
４５          取付部材
４５１、４５２  端部
４５３        開口部
４５４        孔
４６          ダイヤル
５            調整手段
６、６Ａ、６Ｂ  ループ
２００        衣服
２０１        身頃
２０２、２０３  袖
２０４、２０５  肩部
２０６        襟口
２０７        裾
２０８        肩口
５００        ハンガースタンド
５０１        バー（棒状体）
５０２        基台
５０３        一端部
５０４        連結部
５０５        他端部
５０６        キャップ
６００        ハンガー掛け
７００        天井
【図１】
2007308937.tif 000003
【図２】
2007308937.tif 000004
【図３】
2007308937.tif 000005
【図４】
2007308937.tif 000006
【図５】
2007308937.tif 000007
【図６】
2007308937.tif 000008